(57)【要約】【課題】被清掃面の塵埃や汚れを効果的に掻き取ることができると共に、清掃ヘッド部の清掃面を覆って装着された清掃シートの広範囲な領域に、掻き取った塵埃や汚れを効率良く付着させながら被清掃面の清掃を行うことのできる清掃具を提供する。【解決手段】清掃ヘッド部１１と、ハンドル部１２とを備え、清掃ヘッド部１１の下面による清掃面１１ａを覆って清掃シート１３が装着されて、清掃シート１３により被清掃面を払拭する清掃具１０であって、清掃面１１ａには、複数の掻取り突起１４が突設されている。これらの複数の掻取り突起１４は、Ｖ字状部分又は略Ｖ字状部分１４ａを含む平面視形状を有しており、Ｖ字状部分又は略Ｖ字状部分１４ａの開放側を主清掃方向Ｘに向けて配設されている。最外周部に設けられた掻取り突起１４は、開放側を清掃ヘッド部１１の外側に向けて配設されている。【選択図】図３
2013169237.tif 000002
【特許請求の範囲】
【請求項１】
清掃ヘッド部と、ハンドル部とを備え、前記清掃ヘッド部の下面による清掃面を覆って清掃シートが装着されて、該清掃シートにより被清掃面を払拭する清掃具であって、
前記清掃面には、複数の掻取り突起が突設されており、該複数の掻取り突起は、平面視してＶ字状部分又は略Ｖ字状部分を有しており、該複数の掻取り突起の少なくとも一部は、前記Ｖ字状部分又は略Ｖ字状部分の開放側を主清掃方向に向けて配設されている清掃具。
【請求項２】
前記清掃ヘッド部は、矩形平面視形状を備えており、該矩形平面視形状の長辺と垂直な方向が主清掃方向となっている請求項１記載の清掃具。
【請求項３】
前記清掃ヘッド部の前記矩形平面視形状の両側の長辺に沿った最外周部に設けられた前記掻取り突起は、前記Ｖ字状部分又は略Ｖ字状部分の開放側を主清掃方向に向けると共に、開放側を、前記清掃ヘッド部の外側に向けて配設されている請求項２記載の清掃具。
【請求項４】
前記掻取り突起は、前記清掃ヘッド部の前記矩形平面視形状の長手方向に沿って複数列に設けられており、隣接する各一対の列のうちの一方の列に配置された前記掻取り突起と、他方の列に配置された前記掻取り突起とは、前記Ｖ字状部分又は略Ｖ字状部分の開放側を、前記清掃ヘッド部の前記矩形平面視形状の異なる側の長辺に各々向けて配設されている請求項２又は３記載の清掃具。
【請求項５】
隣接する各一対の列のうちの一方の列に配置された前記掻取り突起と、他方の列に配置された前記掻取り突起とは、前記清掃ヘッド部の前記矩形平面視形状の長手方向の位置をずらして互い違いに千鳥状に配置されている請求項４記載の清掃具。
【発明の詳細な説明】
【技術分野】
【０００１】
本発明は、清掃面を覆って清掃シートが装着された清掃ヘッド部により被清掃面を払拭する清掃具に関する。
【背景技術】
【０００２】
清掃面を覆って不織布等からなる清掃シートが装着された清掃ヘッド部によって被清掃面を払拭する清掃具は、清掃ヘッド部に取り付けられたハンドル部を手で持って被清掃面を払拭することにより清掃シートに塵埃や汚れを付着させて、手軽に清掃を行うことができる。
【０００３】
かかる清掃具によれば、清掃面となる清掃ヘッド部の下面が単に平坦な面であると、被清掃面の塵埃や汚れを効率良く掻き取ることは難しいと考えられることから、清掃ヘッド部の下面に凸部や凹凸部を設けることで、掻き取り効果を向上させることが可能な清掃具が開示されている（例えば、特許文献１、特許文献２参照）。
【先行技術文献】
【特許文献】
【０００４】
【特許文献１】特許第３０２７３４５号公報
【特許文献２】特開２００７−５４３３７号公報
【発明の概要】
【発明が解決しようとする課題】
【０００５】
特許文献１の清掃具や特許文献２の清掃用具は、清掃ヘッド部の下面の弾性クッション材による清掃面を湾曲した形状として、塵埃や汚れを清掃面の周縁部分から内側に取り込みやすくしたり、清掃面に複数の凸部や凹凸部を設けて、被清掃面の汚れを掻き取りやすくすることができるが、清掃面を覆って装着された清掃シートの更に広範な領域に、掻き取った塵埃や汚れを効率良く付着させながら、被清掃面の清掃を行うことを可能にする技術の開発が望まれている。
【０００６】
特に、清掃ヘッド部は、一般に矩形平面視形状を備えており、通常はこの矩形平面視形状の長辺と垂直な方向を主清掃方向として、被清掃面の清掃が行われる。このような最も多く行われる清掃の方向である主清掃方向に清掃を行った際に、清掃面を覆って装着された清掃シートの更に広範な領域に、掻き取った塵埃や汚れを効率良く付着させながら、被清掃面の清掃を行うことを可能にする技術の開発が望まれている。
【０００７】
本発明は、被清掃面の塵埃や汚れを効果的に掻き取ることができると共に、清掃ヘッド部の清掃面を覆って装着された清掃シートの更に広範囲な領域に、掻き取った塵埃や汚れを効率良く付着させながら被清掃面の清掃を行うことのできる清掃具を提供することを目的とする。
【課題を解決するための手段】
【０００８】
本発明は、清掃ヘッド部と、ハンドル部とを備え、前記清掃ヘッド部の下面による清掃面を覆って清掃シートが装着されて、該清掃シートにより被清掃面を払拭する清掃具であって、前記清掃面には、複数の掻取り突起が突設されており、該複数の掻取り突起は、平面視してＶ字状部分又は略Ｖ字状部分を有しており、該複数の掻取り突起の少なくとも一部は、前記Ｖ字状部分又は略Ｖ字状部分の開放側を主清掃方向に向けて配設されている清掃具を提供することにより、上記目的を達成したものである。
【発明の効果】
【０００９】
本発明の清掃具によれば、被清掃面の塵埃や汚れを効果的に掻き取ることができると共に、清掃ヘッド部の清掃面を覆って装着された清掃シートの更に広範囲な領域に、掻き取った塵埃や汚れを効率良く付着させながら被清掃面の清掃を行うことができる。
【図面の簡単な説明】
【００１０】
【図１】本発明の好ましい一実施形態に係る清掃具の全体構成を説明する斜視図である。
【図２】清掃ヘッド部の構成を説明する分解斜視図である。
【図３】（ａ）は本発明の好ましい一実施形態に係る清掃具の要部を説明する清掃ヘッド部の底面図、（ｂ）は掻取り突起の拡大平面図である。
【図４】（ａ）、（ｂ）は、清掃具の清掃ヘッド部の他の形態を例示する清掃ヘッド部の底面図である。
【図５】（ａ）は清掃具の清掃ヘッド部のさらに他の形態を例示する清掃ヘッド部の底面図、（ｂ）は掻取り突起の拡大平面図である。
【図６】（ａ）、（ｂ）は、清掃具の清掃ヘッド部のさらに他の形態を例示する清掃ヘッド部の底面図である。
【図７】（ａ）は清掃具の清掃ヘッド部のさらに他の形態を例示する清掃ヘッド部の底面図、（ｂ）は掻取り突起の拡大平面図である。
【図８】清掃具の清掃ヘッド部のさらに他の形態を例示する清掃ヘッド部の底面図である。
【図９】（ａ）は清掃具の清掃ヘッド部のさらに他の形態を例示する清掃ヘッド部の底面図、（ｂ）は掻取り突起の拡大平面図である。
【図１０】（ａ）、（ｂ）は、清掃具の清掃ヘッド部のさらに他の形態を例示する清掃ヘッド部の底面図である。
【図１１】略Ｖ字状部分を含む平面視形状を備える掻取り突起を例示する拡大平面図である。
【発明を実施するための形態】
【００１１】
図１に示す本発明の好ましい一実施形態に係る清掃具１０は、清掃ヘッド部１１の清掃面１１ａを覆って着脱交換可能に使い捨て用の清掃シート１３を取り付けて、例えば床面を被清掃面として清掃作業を行う際に用いられる。本実施形態の清掃具１０は、清掃ヘッド部１１によって被清掃面を払拭する際に、被清掃面に付着した塵埃や汚れを掻き取って、掻き取った塵埃や汚れを、清掃ヘッド部１１の清掃面１１ａを覆う清掃シート１３の広範囲な領域に付着させながら、被清掃面の清掃を行えるようにする機能を備える。
【００１２】
そして、本実施形態の清掃具１０は、図２にも示すように、清掃ヘッド部１１と、ハンドル部１２とを備え、清掃ヘッド部１１の下面による清掃面１１ａを覆って清掃シート１３が装着されて、清掃シート１３により被清掃面を払拭する清掃具であって、図３に示すように、清掃面１１ａには、複数の掻取り突起１４が突設されている。これらの複数の掻取り突起１４は、平面視してＶ字状部分又は略Ｖ字状部分１４ａを有しており、これらの複数の掻取り突起１４の少なくとも一部は、Ｖ字状部分又は略Ｖ字状部分１４ａの開放側を主清掃方向Ｘに向けて配設されている。
【００１３】
なお、本願明細書で複数の掻取り突起とは、２個以上の掻取り突起を意味するが、清掃ヘッド部が後述の矩形平面視形状を備えている場合には、実用的には、この矩形平面視形状の長辺の両端部付近及び中央部付近に設けられた掻取り突起を含む合計３個以上の多数個の掻取り突起のことを意味する。
【００１４】
本実施形態では、清掃ヘッド部１１は、矩形平面視形状を備えており、この矩形平面視形状の長辺と垂直な方向（図３（ａ）の上下方向）が主清掃方向Ｘとなっている。
【００１５】
また、本実施形態では、清掃ヘッド部１１の矩形平面視形状の両側の長辺に沿った最外周部に設けられた掻取り突起１４は、Ｖ字状部分又は略Ｖ字状部分１４ａの開放側を主清掃方向Ｘに向けると共に、開放側を、清掃ヘッド部１１の外側に向けて配設されている。
【００１６】
さらに、本実施形態では、掻取り突起１４は、清掃ヘッド部１１の矩形平面視形状の長手方向に沿って複数列（図３（ａ）の実施形態では１０列）に設けられており、隣接する一対の列のうち、一方の列に配置された掻取り突起１４と、他方の列に配置された掻取り突起１４とは、Ｖ字状部分又は略Ｖ字状部分１４ａの開放側を、清掃ヘッド部１１の矩形平面視形状の異なる側の長辺に各々向けて配設されている。
【００１７】
本実施形態では、清掃具１０を構成する清掃ヘッド部１１は、図１及び図２に示すように、ヘッド本体１５と、ベース体１６とからなる。ヘッド本体１５は、例えば長辺が２００〜５００ｍｍ程度、短辺が５０〜１５０ｍｍ程度の大きさの矩形平面視形状を有するプラスチック製の部材である。ヘッド本体１５には、これの上面の中央部分に、ハンドル支持ジョイント部１７が一体として設けられている。このハンドル支持ジョイント部１７に、ハンドル部１２の下端部に設けられた回転ジョイント部１８を回転可能に接合することで、当該ハンドル部１２を清掃ヘッド部１１に対して前後方向のみならず左右方向にも回動させながら、清掃具１０による清掃作業を行うことができる。
【００１８】
また、ヘッド本体１５の上面には、係着スリット１９ａが形成された柔軟な弾性材料からなる公知のシート保持部１９が設けられている。ヘッド本体１５の下面側に一体として取り付けられたベース体１６の下面（清掃ヘッド部１１の下面）による清掃面１１ａを下方から覆うようにして、清掃シート１３を清掃ヘッド１１に巻き付けた後に、清掃シート１３の端部を、シート保持部１９の係着スリット１９ａに押し込んで係着することにより、清掃シート１３を清掃ヘッド部１１に着脱交換可能に容易に装着することができる（図１参照）。
【００１９】
ヘッド本体１５と共に清掃ヘッド部１１を構成するベース体１６は、弾性変形可能な合成樹脂材料として、例えばウレタンやＥＶＡ（エチレン酢酸ビニル共重合物）樹脂等からなる。ベース体１６は、ヘッド本体１５よりも一回り大きな矩形平面視形状を備える。ベース体１６は、底面部１６ａと、底面部１６ａの周縁部に設けられた周壁部１６ｂとからなる。底面部１６ａは、例えば０．５〜３ｍｍ程度の薄い肉厚で形成されている。周壁部１６ｂは、略三角形の断面形状を備える。四方の周壁部１６ｂによって囲まれるベース体１６の上面側には、ヘッド本体１５が嵌め込まれる凹嵌部１６ｃが形成される。
【００２０】
本実施形態では、図２に示すように、ヘッド本体１５の下面とベース体１６の底面部１６ａとの間にクッション材２０を介在させて、凹嵌部１６ｃにヘッド本体１５を嵌め込み、ヘッド本体１５とベース体１６とを接着剤等を用いて接着することにより、これらが一体となった清掃ヘッド部１１が形成される。
【００２１】
ヘッド本体１５の下面とベース体１６の底面部１６ａとの間に介在させるクッション材２０は、ベース体１６よりも柔らかいクッション材料として、例えばスポンジ（材質は例えばウレタンフォーム等）からなる。本実施形態では、クッション材２０は、例えばヘッド本体１５の下面側に設けられた複数の補強リブ（図示せず）と、ベース体１６の底面部１６ａとの間の隙間を充填するようにして、ヘッド本体１５の下面の略全域に亘って装着される。
【００２２】
ヘッド本体１５の下面とベース体１６の底面部１６ａとの間にクッション材２０を介在させて清掃ヘッド部１１が形成されていることで、クッション材２０によってベース体１６の底面部１６ａを、これの背面側から面状に支持した状態で押し出すことが可能になる。また、清掃面１１ａとなる底面部１６ａの下面を、クッション材２０による柔らかな弾性付勢力を介して緩やかに湾曲する湾曲形状に下方に突出させた状態とすることが可能になる。これらによって、例えばハンドル部１２から清掃ヘッド部１１へ僅かな押圧力しか加えられていない状態では、湾曲する清掃面１１ａを被清掃面にフィットさせたソフトな感触で清掃作業を行うことが可能になる。また、清掃面１１ａを被清掃面に押し付けて清掃作業を行うためにハンドル部１１から清掃ヘッド部１１へ相当の押圧力を加えた状態では、クッション材２０は全体に亘ってバランスよく容易に押し潰されて、ソフトなクッション感を伴いながら、清掃シート１３によって覆われたベース体１６の下面（清掃面１１ａ）を、広範囲に亘って被清掃面にフィットする平坦な面とすることが可能になる。
【００２３】
また、本実施形態では、ベース体１６の周縁部を構成する周壁部１６ｂは、略三角形の断面形状を有していることで、ベース体１６の外周部分がベース体１６の下面に対して鋭角なテーパー面となる。これによって、例えば壁面と床面との角部分の床面や、壁面の入隅部分の床面に対しても、ベース体１６の外周縁部を壁面に当接させつつ、効果的に清掃作業を行うことが可能になる。
【００２４】
さらに、本実施形態では、清掃面１１ａを覆って清掃ヘッド部１１に取り付けられて、塵埃や汚れ等を付着させる清掃シート１３としては、例えばオレフィン系極細繊維不織布等の公知の各種の清掃シートを用いることができる。
【００２５】
そして、本実施形態では、ベース体１６の下面による清掃ヘッド部１１の清掃面１１ａには、図３（ａ）、（ｂ）に示すように、平面視してＶ字状部分又は略Ｖ字状部分１４ａを有する形状として、Ｖ字状の平面視形状を有する複数の掻取り突起１４が、好ましくは、全ての掻取り突起１４の開放側を、主清掃方向Ｘである、矩形平面視形状を備える清掃ヘッド部１１の長辺と垂直な方向に向けてベース体１６と一体に配設されている。
【００２６】
また、本実施形態では、掻取り突起１４は、矩形平面視形状の清掃ヘッド部１１の長手方向に沿って１０列に設けられており、矩形平面視形状の清掃ヘッド部１１の両側の長辺に沿った、両側の最外周の列に配設された掻取り突起１４は、Ｖ字状部分又は略Ｖ字状部分１４ａの開放側を主清掃方向Ｘに向けると共に、開放側を、清掃ヘッド部１１の外側に向けて配設されている。
【００２７】
さらに、本実施形態では、矩形平面視形状の清掃ヘッド部１１の長手方向に沿って１０列に設けられた掻取り突起１４は、隣接する各一対の列うちの一方の列の掻取り突起１４と、他方の列の掻取り突起１４とが、Ｖ字状部分又は略Ｖ字状部分１４ａの開放側を、清掃ヘッド部１１の矩形平面視形状の異なる側の長辺に各々向けて配設されている。
【００２８】
ここで、本実施形態では、清掃ヘッド部１１の清掃面１１ａに突設された複数の掻取り突起１４は、これらの全てが同様の形状を備えている。すなわち、掻取り突起１４は、各々、清掃ヘッド部１１の清掃面１１ａから例えば０．５〜５ｍｍ程度の高さで突出していると共に、図３（ｂ）に示すように、例えば０．５〜２ｍｍ程度の幅ｂ1の一対の直線状の突リブ２１を、これらの一端部において接合した、Ｖ字状の平面視形状を有している。これにより掻取り突起１４は、その全体によってＶ字状部分又は略Ｖ字状部分１４ａを構成している。
【００２９】
また、本実施形態では、掻取り突起１４は、Ｖ字状部分又は略Ｖ字状部分１４ａを形成する一対の突リブ２１の間の角度θが、例えば４５〜１２０°程度となっており、Ｖ字状の平面視形状の開放側端部の開口幅ｂ2が、実用的には例えば２〜１０ｍｍ程度、Ｖ字状の平面視形状の接合基端部から開放側端部までの縦幅ｂ3が、実用的には例えば２〜１０ｍｍ程度の大きさなっている。
【００３０】
清掃ヘッド部１１の清掃面１１ａに設けられた複数の掻取り突起１４のＶ字状部分又は略Ｖ字状部分１４ａが、各々上述のような形状や大きさとなっていることにより、清掃シート１３で覆われた清掃ヘッド部１１の清掃面１１ａによって被清掃面を払拭する際の摩擦力を受けても、掻取り突起１４が変形し難くなって、床にこびりついた塵埃や汚れを、効果的に掻き取ることが可能になる。また、複数の掻取り突起１４の少なくとも一部（本実施形態では全部の掻取り突起１４）が、Ｖ字状部分又は略Ｖ字状部分１４ａの開放側を主清掃方向Ｘに向けて配設されているので、清掃具１０を用いて最も多く行われる清掃の方向である主清掃方向Ｘに清掃を行った際に、Ｖ字状部分又は略Ｖ字状部分１４ａの開放側から、一対の突リブ２１が接合する基端部側に向けて、掻き取った塵埃や汚れを集約しながら、清掃面１１ａの全体に分散して配置された各掻取り突起１４のＶ字状部分又は略Ｖ字状部分１４ａの基端部の付近に、掻き取った塵埃や汚れを各々捕捉することが可能になる。これによって、清掃ヘッド部１１の清掃面１１ａを覆って装着された清掃シート１３の更に広範囲な領域に、掻き取った塵埃や汚れを効率良く付着させることが可能になる。
【００３１】
したがって、本実施形態の清掃具１０によれば、被清掃面の塵埃や汚れを効果的に掻き取ることが可能になると共に、清掃ヘッド部１１の清掃面１１ａを覆って装着された清掃シート１３の更に広範囲な領域に、掻き取った塵埃や汚れを効率良く付着させながら被清掃面の清掃を行うことが可能になる。
【００３２】
また、本実施形態の清掃具１０によれば、清掃ヘッド部１１の両側の長辺に沿った最外周部の掻取り突起１４が、Ｖ字状部分又は略Ｖ字状部分１４ａの開放側を主清掃方向Ｘに向けると共に、開放側を、清掃ヘッド部１１の外側に向けて配設されているので、清掃具１０の清掃ヘッド部１１を主清掃方向Ｘに移動させて清掃を行った際に、当該最外周部の各掻取り突起１４のＶ字状部分を構成する一対の突リブ２１の内側に塵埃や汚れを集めることで、清掃ヘッド部１１の両側の長辺に沿った最外周部分に、塵埃や汚れを効率良く集めることが可能になる。
【００３３】
さらに、本実施形態の清掃具１０によれば、隣接する各一対の列うちの一方の列に配置された掻取り突起１４と、他方の列に配置された掻取り突起１４とが、Ｖ字状部分又は略Ｖ字状部分１４ａの開放側を、清掃ヘッド部１１の矩形平面視形状の異なる側の長辺に各々向けて配設されているので、清掃具１０の清掃ヘッド部１１を主清掃方向Ｘに往復移動させて清掃を行った際に、Ｖ字状部分又は略Ｖ字状部分１４ａの開放側が主清掃方向Ｘの往復両方向に開口しているため、掻き取った塵埃や汚れを更に効率良く清掃シート１３に付着させながら被清掃面の清掃を行うことが可能になる。
【００３４】
図４（ａ）、（ｂ）は、本実施形態の清掃具１０の清掃ヘッド部１１の他の形態を例示するものである。図４（ａ）に示す形態の清掃ヘッド部１１は、ベース体１６の下面による清掃面１１ａに、図３（ｂ）に示すＶ字状の平面視形状を備える複数の掻取り突起１４を、隣接する各一対の列のうちの一方の列に配置された掻取り突起１４と、他方の列に配置された掻取り突起１４とを、Ｖ字状部分又は略Ｖ字状部分１４ａの開放側を異なる側の長辺に各々向けて配設すると共に、清掃ヘッド部１１の矩形平面視形状の長手方向の位置をずらして互い違いに千鳥状に配置したものである。図４（ｂ）に示す形態の清掃ヘッド部１１は、ベース体１６の下面による清掃面１１ａに、図３（ｂ）に示すＶ字状の平面視形状を備える複数の掻取り突起１４を、図４（ａ）に示す形態から、更に清掃ヘッド部１１の矩形平面視形状の長手方向に沿って順に、Ｖ字状部分又は略Ｖ字状部分１４ａの開放側が交互に異なる側の長辺に各々向くように配置したものである。
【００３５】
図４（ａ）、（ｂ）に示す形態の清掃ヘッド部１１を備える清掃具１０によっても、上述と同様の作用効果が奏される。また、図４（ａ）に示す形態の清掃ヘッド部１１によれば、隣接する一方の列に配置された掻取り突起１４と、他方の列に配置された掻取り突起１４とが、開放側を異なる側の長辺に各々向けて配設されていると共に、互い違いに千鳥状に配置されているので、清掃具１０により主清掃方向Ｘに清掃を行った際に、各一対の掻取り突起１４の間から後ろ側へ逃げた粉塵や汚れを、千鳥状にずれて配置されている後ろ側の突起１４に接触させて掻取ることが可能になって、清掃効率を更に向上させることが可能になる。また図４（ｂ）に示す形態の清掃ヘッド部１１によれば、各一対の掻取り突起１４の間から後ろ側へ逃げた粉塵や汚れを、千鳥状にずれて配置されている後ろ側の突起１４に接触させて掻取ることが可能になることに加えて、各々の掻取り突起１４のＶ字状部分又は略Ｖ字状部分１４ａを構成する一対の突リブ２１の内側に、塵埃や汚れを更に効率よく集めることが可能になる。
【００３６】
図５（ａ）は、本実施形態の清掃具１０の清掃ヘッド部１１のさらに他の形態を例示するものである。図５（ａ）に示す清掃ヘッド部１１は、当該清掃ヘッド部１１のベース体１６の下面による清掃面１１ａに、図３（ａ）に示す清掃ヘッド部１１の清掃面１１ａに設けられたＶ字状の平面視形状を有する複数の掻取り突起１４に代えて、図５（ｂ）に示すような、３本の突リブ２２によるＹ字状の複数の掻取り突起２３を突設させたものである。
【００３７】
すなわち、図５（ａ）に示す清掃ヘッド部１１では、清掃ヘッド部１１の清掃面１１ａに突設された複数の掻取り突起２３は、各々、図５（ｂ）に示すように、３本の突リブ２２を、これらの一端部において接合することで、Ｙ字状の平面視形状を有している。また３本の突リブ２２のうちの隣接する各一対の突リブ２２によって、Ｖ字状部分又は略Ｖ字状部分２３ａが構成されている。
【００３８】
図５（ａ）に示す清掃ヘッド部１１を備える清掃具１０によっても、図３（ａ）に示す清掃ヘッド部１１を備える清掃具１０と略同様の作用効果が奏される。
【００３９】
図６（ａ）、（ｂ）は、本実施形態の清掃具１０の清掃ヘッド部１１のさらに他の形態を例示するものである。図６（ａ）に示す形態の清掃ヘッド部１１は、ベース体１６の下面による清掃面１１ａに、図５（ｂ）に示すＹ字状の平面視形状を備える複数の掻取り突起２３を、隣接する各一対の列のうちの一方の列に配置された掻取り突起２３と、他方の列に配置された掻取り突起２３とを、Ｖ字状部分又は略Ｖ字状部分２３ａの開放側を異なる側の長辺に各々向けて配設すると共に、清掃ヘッド部１１の矩形平面視形状の長手方向の位置をずらして互い違いに千鳥状に配置したものである。図６（ｂ）に示す清掃ヘッド部１１は、ベース体１６の下面による清掃面１１ａに、図５（ｂ）に示すＹ字状の平面視形状を備える複数の掻取り突起２３を、図６（ａ）に示す形態から、更に清掃ヘッド部１１の矩形平面視形状の長手方向に沿って順に、Ｖ字状部分又は略Ｖ字状部分２３ａの開放側を９０度ずつ方向を変えて、ヘッド本体１５の長辺側と短辺側の両方に向くように配置したものである。
【００４０】
図６（ａ）や図６（ｂ）に示す清掃ヘッド部１１を備える清掃具１０によっても、図４（ａ）や図４（ｂ）に示す清掃ヘッド部１１の備える清掃具１０と略同様の作用効果が奏される。
【００４１】
図７（ａ）は、本実施形態の清掃具１０の清掃ヘッド部１１のさらに他の形態を例示するものである。図７（ａ）に示す清掃ヘッド部１１は、当該清掃ヘッド部１１のベース体１６の下面による清掃面１１ａに、図３（ａ）に示す清掃ヘッド部１１の清掃面１１ａに設けられたＶ字状の平面視形状を有する複数の掻取り突起１４に代えて、図７（ｂ）に示すような、４本の突リブ２４によるＸ字状の複数の掻取り突起２５を突設させたものである。
【００４２】
すなわち、図７（ａ）に示す清掃ヘッド部１１では、清掃ヘッド部１１の清掃面１１ａに突設された複数の掻取り突起２５は、各々、図７（ｂ）に示すように、４本の突リブ２４を、これらの一端部において接合することで、Ｘ字状の平面視形状を有している。また４本の突リブ２４のうちの隣接する各一対の突リブ２４によって、Ｖ字状部分又は略Ｖ字状部分２５ａが構成されている。
【００４３】
図７（ａ）に示す清掃ヘッド部１１を備える清掃具１０によっても、図３（ａ）に示す清掃ヘッド部１１を備える清掃具１０と略同様の作用効果が奏される。さらに矩形平面視形状の短辺と垂直な方向を主清掃方向として、被清掃面の清掃が行われる場合であっても、短辺を向いたＶ字状部分又は略Ｖ字状部分２５ａの開放側が当該主清掃方向に向けて配設されているため、長辺と垂直な方向を主清掃方向Ｘとして被清掃面の清掃が行われる場合と略同様の作用効果が奏される。
【００４４】
図８は、本実施形態の清掃具１０の清掃ヘッド部１１のさらに他の形態を例示するものである。図８に示す清掃ヘッド部１１は、ベース体１６の下面による清掃面１１ａに、図７（ｂ）に示すＸ字状の平面視形状を備える複数の掻取り突起２５を、隣接する各一対の列のうちの一方の列に配置された掻取り突起２５と、他方の列に配置された掻取り突起２５とを、Ｖ字状部分又は略Ｖ字状部分２５ａの開放側を異なる側の長辺に各々向けて配設すると共に、清掃ヘッド部１１の矩形平面視形状の長手方向の位置をずらして互い違いに千鳥状に配置したものである。
【００４５】
図８に示す清掃ヘッド部１１を備える清掃具１０によっても、図４（ａ）に示す清掃ヘッド部１１を備える清掃具１０と略同様の作用効果が奏される。
【００４６】
図９（ａ）は、本実施形態の清掃具１０の清掃ヘッド部１１のさらに他の形態を例示するものである。図９（ａ）に示す清掃ヘッド部１１は、当該清掃ヘッド部１１のベース体１６の下面による清掃面１１ａに、図３（ａ）に示す清掃ヘッド部１１の清掃面１１ａに設けられたＶ字状の平面視形状を有する複数の掻取り突起１４に代えて、図９（ｂ）に示すような、５本の突リブ２６によるヒトデ状の複数の掻取り突起２７を突設させたものである。
【００４７】
すなわち、図９（ａ）に示す清掃ヘッド部１１では、清掃ヘッド部１１の清掃面１１ａに突設された複数の掻取り突起２７は、各々、図９（ｂ）に示すように、５本の突リブ２６を、これらの一端部において接合することで、ヒトデ状の平面視形状を有している。また５本の突リブ２６のうちの隣接する各一対の突リブ２６によって、Ｖ字状部分又は略Ｖ字状部分２７ａが構成されている。
【００４８】
図９（ａ）に示す清掃ヘッド部１１を備える清掃具１０によっても、図３（ａ）に示す清掃ヘッド部１１を備える清掃具１０と略同様の作用効果が奏される。
【００４９】
図１０（ａ）、（ｂ）は、本実施形態の清掃具１０の清掃ヘッド部１１のさらに他の形態を例示するものである。図１０（ａ）に示す清掃ヘッド部１１は、ベース体１６の下面による清掃面１１ａに、図９（ｂ）に示すヒトデ状の平面視形状を備える複数の掻取り突起２７を、隣接する各一対の列のうちの一方の列に配置された掻取り突起２７と、他方の列に配置された掻取り突起２７とを、Ｖ字状部分又は略Ｖ字状部分２７ａの開放側を異なる側の長辺に各々向けて配設すると共に、清掃ヘッド部１１の矩形平面視形状の長手方向の位置をずらして互い違いに千鳥状に配置したものである。図１０（ｂ）に示す清掃ヘッド部１１は、ベース体１６の下面による清掃面１１ａに、図９（ｂ）に示すヒトデ状の平面視形状を備える複数の掻取り突起２７を、図９（ａ）に示す形態から、更に清掃ヘッド部１１の矩形平面視形状の長手方向に沿って順に、Ｖ字状部分又は略Ｖ字状部分２７ａの開放側を１８度ずつ方向を変えて、開放側が多方向に向くように配置したものである。
【００５０】
図１０（ａ）や図１０（ｂ）に示す清掃ヘッド部１１を備える清掃具１０によっても、図４（ａ）や図４（ｂ）に示す清掃ヘッド部１１を備える清掃具１０と略同様の作用効果が奏される。
【００５１】
なお、本発明は上記実施形態に限定されることなく種々の変更が可能である。例えば、矩形平面視形状を備えている清掃ヘッド部は、この矩形平面視形状の長辺、短辺が曲線であっても良い。また、矩形平面視形状には正方形も含まれてもよく、この場合には、前記矩形平面視形状の長辺は、正方形のいずれかの辺を任意に選択できる。更に清掃ヘッド部は、矩形平面視形状を備えている必要は必ずしもなく、長円形状や楕円形状等の、清掃作業に適したその他の種々の平面視形状を備えていても良い。また、最も多く行われる清掃の方向である主清掃方向は、清掃ヘッド部の長手方向と垂直な方向となっている必要は必ずしもない。さらに、Ｖ字状部分又は略Ｖ字状部分の開放側を主清掃方向に向けた掻取り突起は、複数の掻取り突起の全てである必要は必ずしもなく、複数の掻取り突起の少なくとも一部であれば良い。
【００５２】
また、複数の掻取り突起のＶ字状部分又は略Ｖ字状部分は、Ｖ字状の平面視形状を有している必要は必ずしもなく、略Ｖ字状の平面視形状を有していても良い。略Ｖ字状の平面形視状としては、例えば図１１に示すような、Ｖ字形状を形成する一対の直線状の突リブ２１’を、開放側とは反対側の基端部において離間させると共に、基端部の離間部分に、柱状リブ２８を配置したものを採用することもできる。このような略Ｖ字状部分を含む複数の掻取り突起１４’によっても、上述と同様の作用効果が奏される。
【符号の説明】
【００５３】
１０  清掃具
１１  清掃ヘッド部
１１ａ  清掃面
１２  ハンドル部
１３  清掃シート
１４，２３，２５，２７  掻取り突起
１４ａ，２３ａ，２５ａ，２７ａ  Ｖ字状部分又は略Ｖ字状部分
１５  ヘッド本体
１６  ベース体
２０  クッション材
２１，２２，２４，２６  突リブ
Ｘ    主清掃方向
【図１】
2013169237.tif 000003
【図２】
2013169237.tif 000004
【図３】
2013169237.tif 000005
【図４】
2013169237.tif 000006
【図５】
2013169237.tif 000007
【図６】
2013169237.tif 000008
【図７】
2013169237.tif 000009
【図８】
2013169237.tif 000010
【図９】
2013169237.tif 000011
【図１０】
2013169237.tif 000012
【図１１】
2013169237.tif 000013